(57)【要約】【課題】ハンドオフ問題の解決策を提供する方法と装置は、Ｓ１で示されるように、ＰＣ１２と着呼者との間にリアルタイムセションがあることを仮定するＷＬＡＮネットワーク１４によって引き起こされるハンドオフを含む。【解決手段】Ｓ２に示されるように、ＷＬＡＮネットワーク１４はＩＰネットワーク１８と通信し、そのＩＰネットワーク１８は、Ｓ３に示されるように、ＰＣ１２とサービスサーバ２２間の２方向通信を提供する。ユーザＰＣ１２とＵＥ３２の両方が、ネットワーク２３とＳ４−Ｓ６との接続を構築する。それからそのユーザは、ＰＣ１２からＵＥ３２へのハンドオフを引き起こすことをＳ７にて決定し、ＷＬＡＮネットワーク１４にこのハンドオフ要求を通信する。そしてＷＬＡＮネットワーク１４は、ネットワーク１８を通してサービスサーバ２２へそのＳＩＰメッセージを伝える。サービスサーバ２２は、ハンドオフ（ＨＯ）メッセージを肯定応答するために、ＳＩＰ２００（ＯＫ）メッセージを伝える。【選択図】図２
2014082802.tif 000002
【特許請求の範囲】
【請求項１】
モバイルユーザ機器（ＵＥ）であって、
第１のネットワークを介して通信し、
第１のセッション開始プロトコル（ＳＩＰ）メッセージを前記第１のネットワークに送信し、前記第１のＳＩＰメッセージは、別のＵＥからの通信セッションのハンドオーバーのための要求を示すように構成された送信機
を備えたことを特徴とするモバイルユーザ機器（ＵＥ）。
【請求項２】
前記第１のＳＩＰメッセージは、ＳＩＰインバイトメッセージまたはＳＩＰハンドオフメッセージであることを特徴とする請求項１に記載のモバイルＵＥ。
【請求項３】
前記第１のＳＩＰメッセージは、インターネットプロトコル（ＩＰ）アドレス、Ｅメールアドレス、または電話番号を使用する前記他のＵＥを示すことを特徴とする請求項１に記載のモバイルＵＥ。
【発明の詳細な説明】
【技術分野】
【０００１】
本発明は、異なった技術を採用し、二つの異なるシステム経由でＩＰ（Ｉｎｔｅｒｎｅｔ  Ｐｒｏｔｏｃｏｌ）ネットワークへ接続される、２つのデバイス間でのハンドオフを行うこと関する。さらに詳しくは、本発明は、リアルタイムセッションの間、そのように異なる装置間で、またはそのように異なるネットワーク間または一つの共通のネットワーク間のどちらかで処理されるＳＩＰプロトコルを使用してハンドオフを行う方法と装置に関する。
【背景技術】
【０００２】
ＳＩＰ（Ｓｅｓｓｉｏｎ  ｉｎｉｔｉａｔｉｏｎ  Ｐｒｏｔｏｃｏｌ）は、ＩＰ（Ｉｎｔｅｒｎｅｔ  Ｐｒｏｔｏｃｏｌ）ネットワーク上のマルチメディアセッションを初期化し修正するために採用される。例えば、ＳＩＰは、少なくとも一人のユーザがＵＭＴＳシステムを操作するとき、ＵＭＴＳ（ｕｎｉｖｅｒｓａｌ  Ｍｏｂｉｌｅ  Ｔｅｌｅｃｏｍｍｕｎｉｃａｔｉｏｎ  Ｓｙｓｔｅｍ）ネットワークのうちの一つにおいて、二人のユーザ間のマルチメディアセッションを確立するために使われる。
【発明の概要】
【発明が解決しようとする課題】
【０００３】
しかし、ＳＩＰプロトコルは、異なるシステムを操作する異なる装置間のハンドオフを行うメカニズムとして、従来利用されてきていない。
【課題を解決するための手段】
【０００４】
本発明は、ハンドオフを必要とされる二つの装置が互換性のない場合における利用のために、新しいメディアコーデック（符号器／復号器）のネゴシエーションを含むハンドオフ問題に唯一の解決策を提供する方法と装置によって特徴づけられる。ＭＩＰ（Ｍｏｂｉｌｅ  ＩＰ）が、現在ハンドオフ手順を行うために利用されるにも関わらず、この技法は、二つの異なるネットワーク間または一つの共通のネットワーク間で通信する、二つの異なる装置間のハンドオフを初期化するトリガ機構が欠落している。さらにＭＩＰは、メディアの種類とコーデックとサポートされているビットレート間の互換性の問題には対応しない。
【図面の簡単な説明】
【０００５】
【図１】二つの互換性のある装置と上記の装置と通信する二つの異なったシステムを組み込んだ、ネットワーク構造の簡単な概略図である。
【図２】ＷＬＡＮネットワークユーザからＵＭＴＳネットワークユーザへのハンドオフが、ＵＭＴＳネットワークから引き起こされる方式を示すフロー図である。
【図３】ＷＬＡＮネットワークユーザからＵＭＴＳネットワークユーザへのハンドオフが、ＷＬＡＮネットワークから引き起こされる方式を示すフロー図である。
【図４】ハンドオフが、ＵＭＴＳネットワークユーザからＷＬＡＮネットワークユーザへなされ、ＷＬＡＮネットワークから引き起こされる図２で示されている方式と同様のフロー図である。
【図５】ハンドオフが、ＷＬＡＮネットワークユーザからＵＭＴＳネットワークユーザへなされ、ＵＭＴＳネットワークから引き起こされる図３で示されている方式と同様のフロー図である。
【発明を実施するための形態】
【０００６】
発明は、符号によって構成要素を指定する、添付の図面を考慮することから理解されるだろう。
【０００７】
二つの無線デバイス１２と３２が示されている図１のネットワークアーキテクチャ１０を言及すると、デバイス１２は、ＷＬＡＮ（ＡＰ／ＡＲ（Ａｃｃｅｓｓ  Ｐｏｉｎｔ  ／Ａｃｃｅｓｓ  Ｒｏｕｔｅｒ））１４との無線通信を確立することをデバイス１２に可能にさせるＷＬＡＮカード１３を持つＰＣ（Ｐｅｒｓｏｎａｌ  Ｃｏｍｐｕｔｅｒ）である。ＰＣ１２は、デスクトップ型またはラップトップ型でもよく、ＷＬＡＮカード１３が取り付けられ、適合したインターフェース（簡略化するために示されていない）を通して、ＷＬＡＮ１４と無線通信を確立することができる。
【０００８】
ＰＣ１２は、ＷＬＡＮ１４を通して１６と結合され、ＡＡＡユニット１６における接続と認証とアカウンティングＡＡＡを構築し、例えばいわゆる加入者または他の送信者（示されていない）と通信するために、ＩＰ（Ｉｎｔｅｒｎｅｔ  Ｐｒｏｔｏｃｏｌ）ネットワーク１８とルータ２０とを通してサービスサーバ２２へ結合される。
【０００９】
ＵＥ（Ｕｓｅｒ  Ｅｑｕｉｐｍｅｎｔ）３２は、無線携帯電話、またはＰＤＡ無線デバイス、または似たような機能を持つ同様な他のデバイスであってよく、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）システム２３と無線通信のために適用される。ＵＥ３２は、ＧＰＲＳ（Ｇｅｎｅｒａｔｅ  Ｐａｃｋｅｔ  Ｒａｄｉｏ  Ｓｅｒｖｉｃｅ）サポートノードＧＳＮ２８へ結合するアンテナ３０を介してＵ３２から無線メッセージを受信するシステム２３と通信する。メッセージもまた、接続と認証とアカウンティングのために、ＧＳＮ２８からＨＳＳ（Ｈｏｍｅ  Ｓｕｂｓｃｒｉｂｅｒ  Ｓｅｒｖｅｒ）２６とＡＡＡ２４（ＡＡＡ１６に類似）とに伝送される。ＨＳＳ（Ｈｏｍｅ  Ｓｕｂｓｃｒｉｂｅｒ  Ｓｅｒｖｅｒ）２６は、ＨＬＲ（Ｈｏｍｅ  Ｌｏｃａｔｉｏｎ  Ｒｅｇｉｓｔｅｒ）機能などの、多くのデータベース機能を行う。
【００１０】
データベース機能は、呼とショートメッセージサービスが終端される端末に、ルーティング情報を提供し、ユーザの加入者情報を保守する。ユーザ加入者情報は、簡略化のために示さないが、適切なＶＬＲ（Ｖｉｓｉｔｏｒ  Ｌｏｃａｔｉｏｎ  Ｒｅｇｉｓｔｅｒ）へ分配され、またはＳＧＳＮ（Ｓｅｒｖｉｎｇ  ＧＰＲＳ  Ｓｕｐｐｏｒｔ  Ｎｏｄｅ）へ分配される。ＡＡＡ２４は、ＵＥの識別と特権をセキュアに決定し、ＵＥの動作をトラッキングする。
【００１１】
ユーザが、二つの異なった種類のネットワーク間の既存マルチメディアセッションをハンドオフすることを望むとき、ＳＩＰを使用してハンドオフを行う方法を述べる。以下の例の二つの異なったネットワークは、ＷＬＡＮネットワーク１４と３ＧＰＰＵＭＴＳネットワーク２３である。図１に示され、ＷＬＡＮカード１３が搭載されたＰＣ１３のようなＰＣからＵＥ（Ｕｓｅｒ  Ｅｑｕｉｐｍｅｎｔ）３２へのハンドオフを説明する。ＵＥ３２は、３ＧＰＰ標準規格によるマルチメディアセッションに適応する、携帯電話または任意にイメージ受信や画面表示機能を備えることができる携帯電話などである。
【００１２】
図２について言及すると、ハンドオフがＷＬＡＮネットワーク１４によって引き起こされる。ＰＣ１２と、着呼者との間に、リアルタイムセッションがあることが仮定される。そしてそれは、ＰＣ１２／ＷＬＡＮカード１３が、Ｓ１に示されるＷＬＡＮネットワーク１４と通信し、Ｓ２に示されるＩＰネットワーク１８と通信するＷＬＡＮネットワーク１４と通信し、ＰＣ１２とサービスサーバ１２の間の双方向通信を順々に提供するＳ３で示されるＩＰネットワーク１８と通信する、リアルタイムセッションとして図１にて表される。このとき、ＵＥ３２とＰＣ１２のどちらも、ＵＭＴＳネットワーク２３と通信しない。
【００１３】
ＰＣ１２とＵＥ３２の両方のユーザは、ＵＥ３２を起動し、Ｓ４とＳ５とＳ６においてＵＭＴＳネットワーク２３との接続を確立する。ユーザはその後、ＰＣ１２からＳ７のＵＥ３２へハンドオフを引き起こすことを決定し、Ｓ８においてＷＬＡＮネットワーク１４へ、このハンドオフ要求を通信する。Ｓ９においてＷＬＡＮネットワーク１４は、ＳＩＰメッセージを伝送し、ＳＩＰメッセージは、ＳＩＰハンドオフメッセージ形式、または宛先ＩＰアドレスまたはＥメールアドレスまたは電話番号のいずれかを伴うＳＩＰインバイトメッセージ形式のどちらかを取ってもよい。Ｓ１０においてＳＩＰメッセージは、ＩＰネットワーク１８を通してサービスサーバ２２へ運ばれる。Ｓ１１においてサービスサーバ２２は、ＳＩＰ２００（ＯＫ）メッセージを送信し、ハンドオフ（ＨＯ）メッセージに肯定応答する。
【００１４】
ＷＬＡＮを搭載したＰＣ１２は、ＳＩＰ２００ＯＫ肯定応答を受け取り、Ｓ１２においてＳＩＰ肯定応答（ＡＣＫ）をサービスサーバ２２へ送る。サービスサーバ２２は、Ｓ１３において、メディアタイプのリストと、ＩＰアドレスと、ビットレートと、コーデックなどを示すＳＩＰインバイトメッセージを送り、それはＳ１４においてＩＰネットワーク１８を介してＵＭＴＳネットワーク２３へ順に運ばれ、そしてＳ１５においてＵＭＴＳネットワーク２３からＵＥ３２へ順に運ばれる。ＳＩＰインバイトメッセージを受信すると、ＵＥ３２は、Ｓ１６において、受信可能なメディアタイプとコーデックとビットレートとＩＰアドレスに肯定応答するＳＩＰ２００ＯＫメッセージを送信する。これは、Ｓ１７においてＵＭＴＳネットワーク２３を介してＩＰネットワーク１８へ転送され、Ｓ１８においてＩＰネットワーク１８はこのメッセージをサービスサーバ２２へ運ぶ。Ｓ１９においてサービスサーバ２２は、ＵＥ３２からＳＩＰ２０００を受け取り次第、ＵＥ３２へＳＩＰ  ＡＳＫ（Ａｃｋｎｏｗｌｅｄｇｅ）を運び、その結果、ＷＬＡＮのｃａｐａｂｌｅＰＣ１２からＵＥ３２へのリアルタイムセッションのハンドオフと、Ｓ２０においてＵＥ３２とＵＭＴＳネットワーク２３を介して、Ｓ２１においてＩＰネットワーク１８への双方向通信を運ぶネットワーク２３を介して、Ｓ２２においてＩＰネットワーク１８とサービスサーバ２２の間のこの双方向通信を運ぶＩＰネットワーク１８を介して、与えられたソースとの間で確立されているリアルタイムセッションの通信を完了する。Ｓ２３においてユーザはＰＣ１２とＷＬＡＮネットワーク１４の間のセッションを終了させる。
【００１５】
図３は、ＵＭＴＳネットワークから引き起こされる、ＰＣ１２からＵＥ３２へのハンドオフの様態を示す。
【００１６】
ステップＳ１に表されるように、ＷＬＡＮカード１３付のＰＣ１２とＷＬＡＮネットワーク１４間の双方向通信Ｓ１と、Ｓ２に示されるＷＬＡＮネットワーク１４とＩＰネットワーク１８間のセッションの双方向通信と、Ｓ３において示されているＩＰネットワーク１８とサービスサーバ２２間の双方向通信とによって表現されるように、ＶｏＩＰ（Ｖｏｉｃｅ  Ｏｖｅｒ  Ｉｎｔｅｒｎｅｔ  Ｐｒｏｔｏｃｏｌ）またはビデオかもしれないリアルタイムマルチメディアセッションは、現に行われていることを、最初に仮定する。ユーザがＰＣ１２からＵＥ３２へのハンドオフを行うことを望んでいることを仮定する。ＵＥ３２を、Ｓ５において示されるＵＭＴＳネットワークと、Ｓ６において示されるようにＩＰネットワーク１８とに接続するために、これは、Ｓ４においてＵＥ３２を起動することによって初期化される。
【００１７】
一度ＵＥ３２との接続が確立されると、Ｓ７においてユーザは、ＵＥ３２へのハンドオフを引き起こすことを決め、Ｓ８においてＵＥ３２は、ＳＩＰハンドオフメッセージ、または既存のセッションを示す新しい情報要素のＳＩＰインバイトメッセージメッセージのどちらか一方であるかもしれないＳＩＰメッセージを送信する。このメッセージは、Ｓ９においてＵＭＴＳネットワーク２３を介してＩＰネットワーク１８に、その後Ｓ１０においてサービスサーバ２２へ送信される。ＳＩＰメッセージを受け取ると、サービスサーバ２２は、Ｓ１１においてＩＰネットワーク１８へ運ばれるＨＯメッセージを肯定応答するためのＳＩＰ２００ＯＫメッセージを送信し、それからＩＰネットワーク１８は、Ｓ１２においてＵＭＴＳネットワーク２３へこのメッセージを運び、順にＵＭＴＳネットワーク２３は、Ｓ１３においてＳＩＰ２００ＯＫメッセージをＵＥ３２へ運ぶ。
【００１８】
Ｓ１４において、ＵＥ３２は、サービスサーバ２２へＳＩＰ肯定応答を送ることによってＳＩＰ２００ＯＫメッセージに応答し、その結果、Ｓ１５とＳ１６とＳ１７とにおいて示されるように、ＵＥ３２へのＰＣ１２を参加者として当初含むリアルタイムセッションを確立する。ステップＳ１５とＳ１６とＳ１７とが順番に、図２に示されるステップＳ２０とＳ２１とＳ２２と同じであることに留意すべきである。
【００１９】
ハンドオフ完了後、サービスサーバ２２は、Ｓ１８において、ＷＬＡＮネットワーク上のリアルタイムセッションを終了させるために、ＳＩＰ  ＢＹＥを送信する。これは、ステップＳ１８において、ＩＰネットワーク１８へ運ばれ、Ｓ１９において、ＩＰネットワーク１８は、順にそのメッセージをＷＬＡＮネットワーク１４へ運び、Ｓ２０において、ＷＬＡＮネットワーク１４は、ＰＣ１２へそのメッセージを運ぶ。
【００２０】
ＷＬＡＮカード１３を搭載したＰＣ１２は、終了を肯定応答するためのＳＩＰ２００ＯＫ応答を送り、この応答は、Ｓ２１においてＷＬＡＮネットワーク１４へ運ばれ、順にＳ２２においてＩＰネットワーク１８へ運ばれる。順に、ＩＰネットワーク１８はＳ２３において、ＳＩＰＯＫメッセージをサービスサーバ２２へ運ぶ。このメッセージを受け取ると、サービスサーバ２２は、Ｓ２４においてＩＰネットワーク１８に最初に運ばれている、ＳＩＰ  ＡＣＫ（ＳＩＰ  Ａｃｋｎｏｗｌｅｄｇｅ）を送り、ＩＰネットワーク１８は、Ｓ２５においてＷＬＡＮネットワーク１４へのＳＩＰ  ＡＣＫメッセージを送信し、ＷＬＮネットワーク１４は、Ｓ２６においてＳＩＰ  ＡＣＫメッセージをＷＬＡＮカード１３搭載ＰＣ１２へ送信する。
【００２１】
図４について言及すると、ハンドオフが、ＷＬＡＮネットワーク１４から引き起こされる。ＵＥ３２と離れた相手との間に、リアルタイムセッションがあることが仮定される。ＵＥ３２がＳ１において示されるＵＭＴＳネットワーク２３通信し、Ｓ２に示されるように、ＵＭＴＳネットワーク２３はＩＰネットワーク１８と通信し、Ｓ３に示されるように、サービスサーバ２２介して、ＵＥ３２と契約者と呼ばれる者との間で双方向通信を順に提供する、ＩＰネットワーク１８とするリアルタイムセッションとして表される。
【００２２】
Ｓ４においてユーザはＰＣ１２を起動して、Ｓ５においてＷＬＡＮネットワークと、Ｓ６においてＩＰネットワーク１９への接続を確立する。それから、ユーザはＳ７においてＰＣ１２へのハンドオフを引き起こすことを決定し、Ｓ８におけるＳＩＰハンドオフ要求をＳ９におけるＩＰネットワーク１８とサービスサーバ２２へ通信する。ＳＩＰメッセージは、ＳＩＰハンドオフメッセージ、または宛先ＩＰアドレスまたはＥメールアドレスまたは電話番号を伴うＳＩＰインバイトメッセージのいずれかの形式をとってもよい。Ｓ９において、ＳＩＰメッセージは、ＩＰネットワーク１８を介してサービスサーバ２２へ運ばれる。サービスサーバ２２はＳＩＰ２００（ＯＫ）メッセージをＳ１０においてＰＣ１２へ送信し、ＨＯ（Ｈａｎｄｏｆｆ）メッセージに確認応答する。ＷＬＡＮ搭載ＰＣ１２は、Ｓ１１においてＳＩＰ２００（ＯＫ）メッセージを受信し、ＳＩＰＡＣＫ（Ａｃｋｎｏｗｌｅｄｇｅｍｅｎｔ）をサービスサーバ２２へ送る。サービスサーバ２２は、Ｓ１２において、メディアタイプのリストと、ＩＰアドレスと、ビットレートと、コーデックなどを示すＳＩＰインバイトメッセージを送り、それはＳ１３においてＩＰネットワーク１８を介してＷＬＡＮネットワーク１４へ順に運ばれ、そしてＳ１４においてＷＬＡＮネットワーク１４からＰＣ１２へ順に運ばれる。ＰＣ１２は、Ｓ１５においてＳＩＰインバイトメッセージを受信すると、受信可能なメディアタイプとコーデックとビットレートとＩＰアドレスに肯定応答するＳＩＰ２００ＯＫメッセージをＷＬＡＮ１４へ送信する。ＳＩＰ２００ＯＫは、Ｓ１６においてＷＬＡＮネットワーク１４を介してＩＰネットワーク１８へ転送され、Ｓ１７においてＩＰネットワーク１８を介してサービスサーバ２２へ転送される。サービスサーバ２２は、Ｓ１８においてＰＣ１２からＳＩＰ２００ＯＫを受信すると、ＷＡＬＮ１４とＰＣ１２へＳＩＰ  ＡＣＫを運び、Ｓ１９におけるＷＬＡＮネットワーク１４を介することによって、ＵＥ３２からＷＬＡＮ可能なＰＣ１２へのリアルタイムセッションのハンドオフを完了する。リアルタイムセッションの通信はこのように、ＰＣ１２と、ＷＬＡＮネットワーク１４およびＩＰネットワーク１８を介する与えられたソースとによって確立される。双方向通信は、Ｓ２０におけるＷＬＡＮネットワーク１４とＰＣ１２間と、Ｓ２１におけるＩＰネットワーク１８と、Ｓ２２におけるＩＰネットワーク１８とサービスサーバ２２間とである。ユーザは、ステップＳ２３において、ＷＬＡＮ１４上でセッションを終了してもよい。
【００２３】
図５は、ＵＭＴＳネットワーク２３から引き起こされる、ＵＥ３２からＰＣ１２へのハンドオフの様態を示す。
【００２４】
Ｓ１に表されるようにＵＥ３２とＵＭＴＳネットワーク間の双方向通信と、Ｓ２において示されるＵＭＴＳネットワーク２３とＩＰネットワーク１８間のセッションの双方向通信と、Ｓ３に示されるＩＰネットワーク１８とサービスサーバ２２間の双方向通信とによって表されるように、ＶｏＩＰ（Ｖｏｉｃｅ  Ｏｖｅｒ  Ｉｎｔｅｒｎｅｔ  Ｐｒｏｔｏｃｏｌ）またはビデオであろう、リアルタイムマルチメディアセッションは、現に行われていると最初に仮定する。ユーザは、ＵＥ３２からＰＣ１２へのハンドオフを実行したいと仮定する。これは、ＰＣ１２を、Ｓ５において示されるＷＬＡＮネットワーク１４と、Ｓ６に示されるＩＰネットワーク１８へ接続するために、Ｓ４においてＰＣ１２を起動することによって、初期化される。
【００２５】
ひとたび、ＰＣ１２との接続が確立され、Ｓ７においてユーザがＰＣ１２へのハンドオフを決定すると、Ｓ８においてＵＥ３２は、新しいＳＩＰハンドオフメッセージまたは既存のセッションを示す新しい情報要素のＳＩＰインバイトメッセージメッセージのいずれかであろうＳＩＰメッセージを送信する。このメッセージは、Ｓ９において、ネットワーク２３を介して、ＩＰネットワーク１８へ転送され、その後Ｓ１０において、サービスサーバ２２へ転送される。サービスサーバ２２は、ＳＩＰメッセージを受け取ると、Ｓ１１においてＩＰネットワーク１８へ運ばれるＨＯメッセージを肯定応答するためのＳＩＰ２００ＯＫメッセージを送信し、それからＩＰネットワーク１８は、Ｓ１２においてＷＴＡＮネットワーク１４へこのメッセージを運び、順にＳ１３においてＳＩＰ２００ＯＫメッセージをＰＣ１２へ運ぶ。
【００２６】
Ｓ１４において、ＰＣ１２は、Ｓ１４においてＷＬＡＮネットワーク１４、Ｓ１５においてＩＰネットワーク１８、Ｓ１６においてＩＰネットワーク１８からサービスサーバ２２を介して、サービスサーバ２２へＳＩＰ  ＡＣＫを送ることによって、ＳＩＰ２００ＯＫメッセージへ応答し、これにより、ＵＥ３２を参加者として当初から含むリアルタイムセッションを確立し、Ｓ１７とＳ１８とＳ１９において示されるＰＣ１２へハンドオフされる。
【００２７】
Ｓ２０においてサービスサーバ２２は、ＩＰネットワークへＳＩＰ  ＢＹＥを送信し、Ｓ２１においてＵＭＴＳネットワーク２３へ、Ｓ２２でＵＥ３２へ運ぶ。ＵＥ３２は、終了を肯定応答するためのＳＩＰ２００ＯＫ応答を送り、この応答はＳ２３においてＵＭＴＳネットワーク２３へ運ばれ、順にＳ２４においてＩＰネットワーク１８へ運ばれ、順にＳ２５においてサービスサーバ２２へＳＩＰ２００ＯＫメッセージを運ぶ。このメッセージを受け取ると、サービスサーバ２２は、Ｓ２６においてＩＰネットワーク１８に最初に運ばれているＳＩＰ  ＡＣＫ（ＳＩＰ  Ａｃｋｎｏｗｌｅｄｇｅ）を送り、ＩＰネットワーク１８は、Ｓ２７においてＵＭＴＳネットワーク２３へのＳＩＰ  ＡＣＫメッセージを転送し、ＵＭＴＳネットワーク２３は、Ｓ２８においてＳＩＰ  ＡＣＫメッセージをＵＥ３２へ転送する。
【図１】
2014082802.tif 000003
【図２】
2014082802.tif 000004
【図３】
2014082802.tif 000005
【図４】
2014082802.tif 000006
【図５】
2014082802.tif 000007